(57)【要約】【課題】目的地の設定を簡単に行うことができなかった。【解決手段】目的地送信指示の受信に応じて、受け付けた目的地情報をサーバ装置に送信する端末装置と、受信した目的地情報をナビゲーション装置に送信するサーバ装置と、受信した目的地情報と、現在位置を示すナビ位置情報と、地図を示す地図情報とを用いて、現在位置から目的地までの経路を探索し、当該経路を示す経路情報を出力するナビゲーション装置とを備える情報システムにより、目的地の設定を簡単に行うことができる。【選択図】図１
2015049172.tif 000002
【特許請求の範囲】
【請求項１】
端末装置と、サーバ装置と、ナビゲーション装置とを備える情報システムであって、
前記端末装置は、
目的地を示す情報である目的地情報が格納される端末格納部と、
目的地情報を受け付ける端末受付部と、
前記端末受付部が受け付けた目的地情報を、前記端末格納部に蓄積する端末蓄積部と、
目的地情報を送信する指示である目的地送信指示を受信する端末受信部と、
前記端末受信部による目的地送信指示の受信に応じて、前記端末格納部に格納されている目的地情報を、前記サーバ装置に送信する端末送信部とを備え、
前記サーバ装置は、
前記端末装置から目的地情報を受信するサーバ受信部と、
前記サーバ受信部が受信した目的地情報を、前記ナビゲーション装置に送信するサーバ送信部とを備え、
前記ナビゲーション装置は、
地図を示す情報である地図情報が格納されるナビ地図情報格納部と、
現在位置を示す情報であるナビ位置情報を取得するナビ位置情報取得部と、
目的地送信指示を送信するナビ送信部と、
前記サーバ装置から目的地情報を受信するナビ受信部と、
前記ナビ受信部による目的地情報の受信に応じて、前記地図情報と、前記ナビ位置情報取得部が取得したナビ位置情報と、当該目的地情報とを用いて、当該ナビ位置情報が示す現在位置から、当該目的地情報が示す目的地までの経路を探索し、当該経路を示す情報である経路情報を取得するナビ経路探索部と、
前記ナビ経路探索部が取得した経路情報を出力するナビ出力部とを備える情報システム。
【請求項２】
前記端末送信部は、
前記端末受信部による目的地送信指示の受信に応じて、前記端末格納部に格納されている目的地情報であり、前記サーバ装置に未送信である目的地情報を、前記サーバ装置に送信する請求項１記載の情報システム。
【請求項３】
前記サーバ送信部は、
前記サーバ受信部による目的地情報の受信に応じて、当該目的地情報を、前記ナビゲーション装置に送信する請求項２記載の情報システム。
【請求項４】
前記ナビ送信部は、
目的地情報を要求する指示である目的地要求指示を前記サーバ装置に送信し、
前記サーバ受信部は、
前記ナビゲーション装置から目的地要求指示を受信し、
前記サーバ送信部は、
前記サーバ受信部による目的地要求指示の受信に応じて、前記サーバ受信部が受信した目的地情報を、前記ナビゲーション装置に送信する請求項２記載の情報システム。
【請求項５】
前記目的地送信指示は、非可聴音であり、
前記端末受信部は、
非可聴音である前記目的地送信指示を、マイクにより受信する請求項１から請求項４いずれか一項に記載の情報システム。
【請求項６】
請求項１から請求項５いずれか一項に記載の情報システムを構成する端末装置。
【請求項７】
請求項１から請求項５いずれか一項に記載の情報システムを構成するナビゲーション装置。
【請求項８】
目的地を示す情報である目的地情報が格納される端末格納部と、
端末受付部と、端末蓄積部と、端末受信部と、端末送信部とを用いて行われる情報処理方法であって、
前記端末受付部が、
目的地情報を受け付ける端末受付ステップと、
前記端末蓄積部が、
前記端末受付部が受け付けた目的地情報を、前記端末格納部に蓄積する端末蓄積ステップと、
前記端末受信部が、
目的地情報を送信する指示である目的地送信指示を受信する端末受信ステップと、
前記端末送信部が、
前記端末受信部による目的地送信指示の受信に応じて、前記端末格納部に格納されている目的地情報を送信する端末送信ステップとを備える情報処理方法。
【請求項９】
地図を示す情報である地図情報が格納されるナビ地図情報格納部と、
ナビ位置情報取得部と、ナビ送信部と、ナビ受信部と、ナビ経路探索部と、ナビ出力部とを用いて行われる情報処理方法であって、
前記ナビ位置情報取得部が、
現在位置を示す情報であるナビ位置情報を取得するナビ位置情報取得ステップと、
前記ナビ送信部が、
目的地送信指示を送信するナビ送信ステップと、
前記ナビ受信部が、
目的地情報を受信するナビ受信ステップと、
前記ナビ経路探索部が、
前記ナビ受信部による目的地情報の受信に応じて、前記地図情報と、前記ナビ位置情報取得部が取得したナビ位置情報と、当該目的地情報とを用いて、当該ナビ位置情報が示す現在位置から、当該目的地情報が示す目的地までの経路を探索し、当該経路を示す情報である経路情報を取得するナビ経路探索ステップと、
前記ナビ出力部が、
前記ナビ経路探索部が取得した経路情報を出力するナビ出力ステップとを備える情報処理方法。
【請求項１０】
目的地を示す情報である目的地情報が格納される端末格納部にアクセス可能なコンピュータを、
目的地情報を受け付ける端末受付部と、
前記端末受付部が受け付けた目的地情報を、前記端末格納部に蓄積する端末蓄積部と、
目的地情報を送信する指示である目的地送信指示を受信する端末受信部と、
前記端末受信部による目的地送信指示の受信に応じて、前記端末格納部に格納されている目的地情報を送信する端末送信部として機能させるためのプログラム。
【請求項１１】
地図を示す情報である地図情報が格納されるナビ地図情報格納部にアクセス可能なコンピュータを、
現在位置を示す情報であるナビ位置情報を取得するナビ位置情報取得部と、
目的地送信指示を送信するナビ送信部と、
目的地情報を受信するナビ受信部と、
前記ナビ受信部による目的地情報の受信に応じて、前記地図情報と、前記ナビ位置情報取得部が取得したナビ位置情報と、当該目的地情報とを用いて、当該ナビ位置情報が示す現在位置から、当該目的地情報が示す目的地までの経路を探索し、当該経路を示す情報である経路情報を取得するナビ経路探索部と、
前記ナビ経路探索部が取得した経路情報を出力するナビ出力部として機能させるためのプログラム。
【発明の詳細な説明】
【技術分野】
【０００１】
本発明は、ナビゲーション装置を備える情報システム等に関するものである。
【背景技術】
【０００２】
従来、ユーザが設定した目的地までの経路を探索するナビゲーション装置等が開発されている（非特許文献１参照）。
【先行技術文献】
【非特許文献】
【０００３】
【非特許文献１】“サイバーナビ”、［online］、パイオニア株式会社、［２０１３年８月２１日検索］、インターネット［URL；http://pioneer.jp/carrozzeria/cybernavi/］
【発明の概要】
【発明が解決しようとする課題】
【０００４】
従来のナビゲーション装置等では、目的地の設定を簡単に行うことができなかった。
【課題を解決するための手段】
【０００５】
本第一の発明の情報システムは、端末装置と、サーバ装置と、ナビゲーション装置とを備える情報システムであって、端末装置は、目的地を示す情報である目的地情報が格納される端末格納部と、目的地情報を受け付ける端末受付部と、端末受付部が受け付けた目的地情報を、端末格納部に蓄積する端末蓄積部と、目的地情報を送信する指示である目的地送信指示を受信する端末受信部と、端末受信部による目的地送信指示の受信に応じて、端末格納部に格納されている目的地情報を、サーバ装置に送信する端末送信部とを備え、サーバ装置は、端末装置から目的地情報を受信するサーバ受信部と、サーバ受信部が受信した目的地情報を、ナビゲーション装置に送信するサーバ送信部とを備え、ナビゲーション装置は、地図を示す情報である地図情報が格納されるナビ地図情報格納部と、現在位置を示す情報であるナビ位置情報を取得するナビ位置情報取得部と、目的地送信指示を送信するナビ送信部と、サーバ装置から目的地情報を受信するナビ受信部と、ナビ受信部による目的地情報の受信に応じて、地図情報と、ナビ位置情報取得部が取得したナビ位置情報と、目的地情報とを用いて、ナビ位置情報が示す現在位置から、目的地情報が示す目的地までの経路を探索し、経路を示す情報である経路情報を取得するナビ経路探索部と、ナビ経路探索部が取得した経路情報を出力するナビ出力部とを備える情報システムである。
【０００６】
このような構成により、目的地の設定を簡単に行うことができる。
【０００７】
また、本第二の発明の情報システムは、第一の発明に対して、端末送信部は、端末受信部による目的地送信指示の受信に応じて、端末格納部に格納されている目的地情報であり、サーバ装置に未送信である目的地情報を、サーバ装置に送信する情報システムである。
【０００８】
このような構成により、変更された目的地の設定を簡単に行うことができる。
【０００９】
また、本第三の発明の情報システムは、第二の発明に対して、サーバ送信部は、サーバ受信部による目的地情報の受信に応じて、目的地情報を、ナビゲーション装置に送信する情報システムである。
【００１０】
このような構成により、変更された目的地の設定を簡単に行うことができる。
【００１１】
また、本第四の発明の情報システムは、第二の発明に対して、ナビ送信部は、目的地情報を要求する指示である目的地要求指示をサーバ装置に送信し、サーバ受信部は、ナビゲーション装置から目的地要求指示を受信し、サーバ送信部は、サーバ受信部による目的地要求指示の受信に応じて、サーバ受信部が受信した目的地情報を、ナビゲーション装置に送信する情報システムである。
【００１２】
このような構成により、変更された目的地の設定を簡単に行うことができる。
【００１３】
また、本第五の発明の情報システムは、第一から第四いずれか１つの発明に対して、目的地送信指示は、非可聴音であり、端末受信部は、非可聴音である目的地送信指示を、マイクにより受信する情報システムである。
【００１４】
このような構成により、変更された目的地の設定を簡単に行うことができる。
【発明の効果】
【００１５】
本発明による情報システム等によれば、端末装置において設定された目的地を、サーバ装置を経由して端末装置からナビゲーション装置に自動的に転送することができる。
【図面の簡単な説明】
【００１６】
【図１】実施の形態１における情報システム１の概念図
【図２】同端末装置１１、サーバ装置１２、ナビゲーション装置１３のブロック図
【図３】同端末装置１１の全体動作について説明するフローチャート
【図４】同サーバ装置１２の全体動作について説明するフローチャート
【図５】同ナビゲーション装置１３の全体動作について説明するフローチャート
【図６】同経路情報の出力例を示す図
【図７】同経路情報の出力例を示す図
【図８】実施の形態２におけるサーバ装置２２の全体動作について説明するフローチャート
【図９】同ナビゲーション装置２３の全体動作について説明するフローチャート
【図１０】上記実施の形態におけるコンピュータシステムの概観図
【図１１】上記実施の形態におけるコンピュータシステムのブロック図
【発明を実施するための形態】
【００１７】
以下、本発明による情報システム等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００１８】
（実施の形態１）
本実施の形態において、端末装置１１と、サーバ装置１２と、ナビゲーション装置１３とを備える情報システム１について説明する。端末装置１１は、目的地送信指示の受信に応じて、目的地情報をサーバ装置１２に送信する。また、サーバ装置１２は、目的地情報の受信に応じて、当該目的地情報をナビゲーション装置１３に送信する。また、ナビゲーション装置１３は、受信した目的地情報が示す目的地までの経路を探索する。
【００１９】
図１は、本実施の形態における情報システム１の概念図である。図１において、端末装置１１とサーバ装置１２、および、サーバ装置１２とナビゲーション装置１３は、通信手段１４を介して通信が可能である。端末装置１１は、例えば、いわゆる携帯電話や、タブレット型のパソコン、ＰＤＡなどの携帯端末である。また、ナビゲーション装置１３は、例えば、カーナビゲーションシステムや、ナビゲーション機能を有する携帯端末などである。また、ナビゲーション装置１３は、通常、移動体に搭載される。移動体は、例えば、自動車や、バイクなどである。また、通信手段１４は、通常、無線の通信手段である。通信手段１４は、例えば、いわゆる無線ＬＡＮや、携帯電話用の通信回線などである。
【００２０】
また、図１において、端末装置１１とナビゲーション装置１３は、通信手段１５を介して、ナビゲーション装置１３から端末装置１１に対して一方向に通信が可能である。通信手段１５は、例えば、音や、赤外線などである。また、音は、非可聴音であることが好適である。また、端末装置１１は、通常、１以上である。また、ナビゲーション装置１３は、通常、１以上である。
【００２１】
また、図２は、本実施の形態における端末装置１１、サーバ装置１２、ナビゲーション装置１３のブロック図である。端末装置１１は、端末格納部１１１、端末受付部１１２、端末蓄積部１１３、端末受信部１１４、端末送信部１１５を備える。また、サーバ装置１２は、サーバ受信部１２１、サーバ送信部１２２を備える。また、ナビゲーション装置１３は、ナビ地図情報格納部１３１、ナビ位置情報取得部１３２、ナビ送信部１３３、ナビ受信部１３４、ナビ経路探索部１３５、ナビ出力部１３６を備える。
【００２２】
端末格納部１１１には、目的地情報が格納される。「目的地情報」とは、目的地を示す情報である。また、「目的地情報」は、通常、地図上の地点を示す地点情報である。「地点情報」は、例えば、地点の名称や、地点の位置などを示す情報を有する。当該「位置」は、通常、経緯度である。また、当該「位置」は、例えば、地図上の座標であってもよい。また、当該「位置」は、例えば、高さ（高度）を含んでもよい。また、位置を示す情報を、以下、適宜、位置情報とする。つまり、地点情報は、地点の位置を示す位置情報を有する。
【００２３】
また、端末格納部１１１には、通常、１以上の目的地情報が格納される。また、端末格納部１１１には、通常、１つの目的地情報が格納されることが好適である。また、端末格納部１１１に格納される目的地情報には、例えば、未送信情報または送信済情報が対応付いていてもよい。「未送信情報」とは、未送信であることを示す情報である。また、「送信済情報」とは、送信済みであることを示す情報である。また、「未送信情報」および「送信済情報」は、通常、いわゆるフラグである。
【００２４】
また、端末格納部１１１に格納される目的地情報には、例えば、日時を示す情報である日時情報が対応付いていてもよい。
【００２５】
端末受付部１１２は、情報または指示を受け付ける。当該情報は、目的地情報である。また、当該指示は、例えば、電源ＯＮの指示や、電源ＯＦＦの指示などである。なお、端末受付部１１２がこれらの指示を受け付けた場合、端末装置１１は、通常、当該受け付けた指示に応じた処理を行う。
【００２６】
また、受け付けとは、タッチパネルや、キーボードなどの入力デバイスから入力された情報の取得、光ディスクや磁気ディスク、半導体メモリなどの記録媒体に格納されている情報の取得、有線もしくは無線の通信回線を介して送信された情報の受信などを含む概念である。
【００２７】
また、端末受付部１１２における情報や指示などの入力手段は、メニュー画面によるものや、キーボードなど、何でもよい。端末受付部１１２は、メニュー画面の制御ソフトウェアや、キーボード等の入力手段のデバイスドライバなどで実現され得る。
【００２８】
端末蓄積部１１３は、端末受付部１１２が受け付けた目的地情報を、端末格納部１１１に蓄積する。端末蓄積部１１３は、通常、端末受付部１１２が目的地情報を受け付けるたびに、当該目的地情報を蓄積する。このとき、端末蓄積部１１３は、例えば、既に格納されている目的地情報とは別に蓄積してもよいし、既に格納されている目的地情報に上書きして蓄積してもよい。前者の場合、端末蓄積部１１３には、１以上の目的地情報が格納される。また、後者の場合、端末蓄積部１１３には、１つの目的地情報が格納される。
【００２９】
また、端末蓄積部１１３は、例えば、未送信情報を対応付けて、当該目的地情報を蓄積してもよい。また、端末蓄積部１１３は、例えば、日時情報を対応付けて、当該目的地情報を蓄積してもよい。
【００３０】
端末受信部１１４は、目的地送信指示を受信する。「目的地送信指示」とは、目的地情報を送信する指示である。言い換えると、「目的地送信指示」とは、目的地情報を送信することを指示するための情報である。「目的地送信指示」は、通常、非可聴音であることが好適である。また、端末受信部１１４は、通常、ナビゲーション装置１３から、目的地送信指示を受信する。なお、目的地送信指示が非可聴音である場合、端末受信部１１４は、通常、いわゆるマイクにより実現され得る。
【００３１】
端末送信部１１５は、端末受信部１１４による目的地送信指示の受信に応じて、端末格納部１１１に格納されている目的地情報を、サーバ装置１２に送信する。また、このとき、端末送信部１１５は、通常、未送信である目的地情報を送信する。また、端末送信部１１５は、例えば、以下のいずれかの場合に応じて、目的地情報を送信する。
（Ａ）端末格納部１１１に１つの目的地情報が格納される場合
（Ｂ）端末格納部１１１に２以上の目的地情報が格納される場合
【００３２】
（Ａ）の場合：この場合、端末格納部１１１に格納される１つの目的地情報には、（Ａ−１）未送信情報および送信済情報が対応付いていない場合と、（Ａ−２）未送信情報または送信済情報が対応付いている場合とが考えられる。
【００３３】
（Ａ−１）の場合：この場合、端末送信部１１５は、例えば、端末格納部１１１に格納されている１つの目的地情報を取得する。そして、端末送信部１１５は、当該取得した目的地情報を、サーバ装置１２に送信する。そして、端末送信部１１５は、当該端末格納部１１１に格納されている１つの目的地情報を削除する。
【００３４】
（Ａ−２）の場合：この場合、端末送信部１１５は、例えば、端末格納部１１１に格納されている未送信情報が対応付いている目的地情報を取得する。そして、端末送信部１１５は、当該取得した目的地情報を、サーバ装置１２に送信する。そして、端末送信部１１５は、端末格納部１１１に格納されている１つの目的地情報に対応付いている未送信情報を、送信済情報に書き換える。
【００３５】
（Ｂ）の場合：この場合、端末格納部１１１に格納される２以上の目的地情報には、（Ｂ−１）未送信情報または送信済情報が対応付いている場合が考えられる。この場合、端末送信部１１５は、例えば、端末格納部１１１に格納されている２以上の目的地情報のうち、未送信情報が対応付いている目的地情報を取得する。そして、端末送信部１１５は、当該取得した目的地情報を、サーバ装置１２に送信する。そして、端末送信部１１５は、当該取得した目的地情報であり、端末送信部１１５に格納されている目的地情報に対応付いている未送信情報を、送信済情報に書き換える。
【００３６】
また、上記（Ｂ−１）の場合において、端末送信部１１５は、例えば、端末格納部１１１に格納されている２以上の目的地情報のうち、当該未送信情報が対応付いている２以上の目的地情報のうち、対応付いている日時情報により最新であることが示される１つの目的地情報を取得してもよい。
【００３７】
なお、端末送信部１１５は、通常、端末格納部１１１に格納されている目的地情報であり、未送信である目的地情報を、サーバ装置１２に送信することができればよく、その方法や手順などは、問わない。
【００３８】
サーバ装置１２を構成するサーバ受信部１２１は、端末装置１１から１または２以上の目的地情報を受信する。当該受信した目的地情報は、例えば、予め決められた記憶領域に蓄積されてもよい。
【００３９】
サーバ送信部１２２は、サーバ受信部１２１が受信した１または２以上の目的地情報を、ナビゲーション装置１３に送信する。また、サーバ送信部１２２は、通常、サーバ受信部１２１による目的地情報の受信に応じて、当該受信した目的地情報を送信する。
【００４０】
ナビゲーション装置１３を構成するナビ地図情報格納部１３１には、地図を示す情報である地図情報が格納される。「地図情報」が示す地図の種類や、「地図情報」のデータ形式などは、問わない。当該地図の種類は、例えば、地形図や、地勢図、地質図、土地利用図、住宅地図、路線図、道路地図、ガイドマップ、航空写真、衛星写真などである。また、当該データ形式は、例えば、ラスタデータや、ベクタデータ、ＫＩＷＩフォーマットなどである。
【００４１】
また、「地図情報」は、通常、道路を示す１以上の道路情報を有する。「道路情報」は、例えば、道路の名称や、道路の種類、道路の両端の位置などを示す情報を有する。また、「道路情報」は、例えば、道路のスコアや、道路を識別する情報などを有する。当該「スコア」は、通常、経路探索時に用いる「コスト」である。また、「道路情報」には、道路情報を識別する情報が対応付いていてもよい。
【００４２】
また、「地図情報」は、例えば、地図上の地点を示す１以上の地点情報を有していてもよい。当該「地点」の種類は、問わない。当該「地点」は、例えば、交差点や、休憩地点、観光名所、駅などである。「休憩地点」は、例えば、ガソリンスタンドや、いわゆるコンビニなどである。また、当該「地点」は、例えば、道路の端点であってもよい。
【００４３】
ナビ位置情報取得部１３２は、現在位置を示す情報であるナビ位置情報を取得する。ナビ位置情報は、位置情報である。また、ナビ位置情報取得部１３２は、通常、定期的にナビ位置情報を取得する。また、ナビ位置情報取得部１３２は、通常、衛星航法システム（ＧＰＳ受信機など）や、移動体通信用の基地局から位置情報を受信する装置などから、ナビ位置情報を取得する。この場合、ナビ位置情報取得部１３２は、これらの装置を有していてもよいし、これらの装置で実現され得てもよい。また、ナビ位置情報取得部１３２の処理手順は、通常、ソフトウェアで実現され、当該ソフトウェアはＲＯＭ等の記録媒体に記録されている。
【００４４】
ナビ送信部１３３は、目的地送信指示を送信する。当該目的地送信指示は、通常、予め決められた記憶領域に格納されている。また、当該「送信」には、送信を開始することも含まれる。また、当該「送信」は、通常、いわゆるブロードキャストでの送信である。「ブロードキャストでの送信」とは、通常、無線ＬＡＮのアクセスポイントによるビーコン信号の送信などと同様の送信である。また、目的地送信指示は、非可聴音でもある。従って、「目的地送信指示の送信」には、非可聴音の出力も含まれることは言うまでもない。
【００４５】
また、目的地送信指示を送信するタイミングは、問わない。当該タイミングは、例えば、ナビゲーション装置１３の電源がＯＮになった直後や、ナビゲーション装置１３の電源がＯＮである間の定期的、ナビゲーション装置１３が搭載されている移動体が停止したとき、ナビゲーション装置１３が搭載されている移動体のドアが開いたときなどである。
【００４６】
なお、目的地送信指示が非可聴音である場合、ナビ送信部１３３は、通常、いわゆるスピーカーにより実現され得る。また、この場合、ナビ送信部１３３は、例えば、ナビゲーション装置１３と物理的に離れていてもよい。
【００４７】
ナビ受信部１３４は、サーバ装置１２から１または２以上の目的地情報を受信する。ナビ受信部１３４は、通常、ナビ送信部１３３による目的地送信指示に応じて、目的地情報を受信する。
【００４８】
ナビ経路探索部１３５は、ナビ受信部１３４による目的地情報の受信に応じて、地図情報と、ナビ位置情報と、当該受信した目的地情報とを用いて、ナビ位置情報が示す現在位置から、目的地情報が示す目的地までの経路を探索する。そして、ナビ経路探索部１３５は、当該経路を示す経路情報を取得する。当該地図情報は、ナビ地図情報格納部１３１に格納されている地図情報である。また、当該ナビ位置情報は、ナビ位置情報取得部１３２が取得したナビ位置情報である。
【００４９】
具体的に、ナビ経路探索部１３５は、通常、ナビ位置情報と、目的地情報とを、地図情報に適用する。「ナビ位置情報を地図情報に適用する」とは、当該ナビ位置情報が示す地図上の位置を、出発地とすることである。また、「目的地情報を地図情報に適用する」とは、当該目的地情報が示す地図上の地点を、目的地とすることである。そして、ナビ経路探索部１３５は、出発地から目的地までの経路を探索する。このとき、ナビ経路探索部１３５は、通常、地図情報が有する道路情報が有するスコアを、経路のコストとして用いる。
【００５０】
また、経路情報は、例えば、経路が通過する位置を示す１以上の位置情報を有する。また、経路情報は、例えば、経路上の１以上の各地点を示す地点情報を有する。また、経路情報は、例えば、当該１以上の各位置または各地点を結ぶ道路を示す道路情報を有する。
【００５１】
なお、経路の探索には、通常、最短経路問題の解法（アルゴリズム）を用いる。「最短経路問題の解法」は、例えば、ダイクストラ法や、Ａ＊アルゴリズムなどである。これらの解法は、公知であるので、詳細な説明を省略する。また、経路情報を取得する方法や手順などは、公知であるので、詳細な説明を省略する。
【００５２】
また、例えば、ナビ受信部１３４が１つの目的地情報を受信した場合、ナビ経路探索部１３５は、通常、当該目的地情報が示す地点を目的地とする経路を探索する。
【００５３】
また、例えば、ナビ受信部１３４が２以上の目的地情報を受信した場合、ナビ経路探索部１３５は、例えば、当該２以上の目的地情報のうちの１つの目的地情報が示す地点を目的地とし、残りの１以上の目的地情報が示す各地点を経由地とする経路を探索する。このとき、ナビ経路探索部１３５は、例えば、ユーザが選択した１つの目的地情報が示す地点を目的地とし、残りの１以上の目的地情報が示す各地点を経由地としてもよい。また、当該経由地の順序は、例えば、ユーザが選択した順である。また、ナビ経路探索部１３５は、例えば、ナビ位置情報が示す現在位置からの距離が最も遠い地点を目的地とし、残りの１以上の地点を経由地としてもよい。また、当該経由地の順序は、例えば、ナビ位置情報が示す位置からの距離が近い順である。
【００５４】
ナビ出力部１３６は、ナビ経路探索部１３５が取得した経路情報を出力する。出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００５５】
また、ナビ出力部１３６は、ディスプレイやスピーカーなどの出力デバイスを含むと考えてもよいし、含まないと考えてもよい。ナビ出力部１３６は、出力デバイスのドライバソフトまたは、出力デバイスのドライバソフトと出力デバイスなどで実現され得る。
【００５６】
なお、端末格納部１１１、ナビ地図情報格納部１３１は、不揮発性の記録媒体が好適であるが、揮発性の記録媒体でも実現可能である。また、端末格納部１１１などに所定の情報が記憶される過程は、問わない。例えば、当該所定の情報は、記録媒体や、通信回線、入力デバイスなどを介して端末格納部１１１などに記憶されてもよい。
【００５７】
また、端末蓄積部１１３、ナビ経路探索部１３５は、通常、ＭＰＵやメモリ等から実現され得る。また、端末蓄積部１１３などの処理手順は、通常、ソフトウェアで実現され、当該ソフトウェアはＲＯＭ等の記録媒体に記録されている。なお、端末蓄積部１１３などは、ハードウェア（専用回路）で実現されてもよい。
【００５８】
また、端末受信部１１４、サーバ受信部１２１、ナビ受信部１３４は、通常、無線または有線の通信手段で実現されるが、放送を受信する手段で実現されてもよい。
【００５９】
また、端末送信部１１５、サーバ送信部１２２、ナビ送信部１３３は、通常、無線または有線の通信手段で実現されるが、放送手段で実現されてもよい。
【００６０】
また、サーバ装置１２の予め決められた記憶領域には、通常、端末装置１１の識別子と、ナビゲーション装置１３の識別子との対応表が格納されている。また、端末送信部１１５は、通常、目的地情報と共に、端末装置１１の識別子をサーバ装置１２に送信する。当該端末装置１１の識別子は、通常、端末装置１１の予め決められた記憶領域に格納されている。そして、サーバ送信部１２２は、サーバ受信部１２１が目的地情報と共に受信した端末装置１１の識別子に対応するナビゲーション装置１３の識別子を、予め決められた記憶領域から取得する。そして、サーバ送信部１２２は、当該取得した識別子により識別されるナビゲーション装置１３に、サーバ受信部１２１が受信した目的地情報を送信する。なお、端末装置１１の識別子、およびナビゲーション装置１３の識別子は、例えば、ＩＰアドレスや、ＭＡＣアドレス、製造番号やシリアルナンバーなどの識別番号などである。
【００６１】
次に、情報システム１の全体動作について、フローチャートを用いて説明する。まず、端末装置１１の全体動作について、図３のフローチャートを用いて説明する。
【００６２】
（ステップＳ３０１）端末装置１１は、端末受付部１１２が電源ＯＮの指示を受け付けたか否かを判断する。受け付けた場合は、ステップＳ３０２に進み、そうでない場合は、ステップＳ３０１に戻る。
【００６３】
（ステップＳ３０２）端末装置１１は、電源ＯＮの処理を行う。
【００６４】
（ステップＳ３０３）端末蓄積部１１３は、端末受付部１１２が目的地情報を受け付けたか否かを判断する。受け付けた場合は、ステップＳ３０４に進み、そうでない場合は、ステップＳ３０５に進む。
【００６５】
（ステップＳ３０４）端末蓄積部１１３は、ステップＳ３０３で受け付けた目的地情報を端末格納部１１１に蓄積する。このとき、端末蓄積部１１３は、例えば、既に格納されている目的地情報に上書きして蓄積する。
【００６６】
（ステップＳ３０５）端末送信部１１５は、端末受信部１１４が目的地送信指示を受信したか否かを判断する。受信した場合は、ステップＳ３０６に進み、そうでない場合は、ステップＳ３０８に進む。
【００６７】
（ステップＳ３０６）端末送信部１１５は、端末格納部１１１に、未送信の目的地情報が格納されているか否かを判断する。格納されている場合は、ステップＳ３０７に進み、そうでない場合は、ステップＳ３０８に進む。
【００６８】
（ステップＳ３０７）端末送信部１１５は、端末格納部１１１に格納されている未送信の目的地情報を、サーバ装置１２に送信する。
【００６９】
（ステップＳ３０８）端末装置１１は、端末受付部１１２が電源ＯＦＦの指示を受け付けたか否かを判断する。受け付けた場合は、ステップＳ３０９に進み、そうでない場合は、ステップＳ３０３に戻る。
【００７０】
（ステップＳ３０９）端末装置１１は、電源ＯＦＦの処理を行う。そして、ステップＳ３０１に戻る。
【００７１】
なお、図３のフローチャートにおいて、電源オフや処理終了の割り込みにより処理を終了してもよい。
【００７２】
次に、サーバ装置１２の全体動作について、図４のフローチャートを用いて説明する。
【００７３】
（ステップＳ４０１）サーバ送信部１２２は、サーバ受信部１２１が端末装置１１から目的地情報を受信したか否かを判断する。受信した場合は、ステップＳ４０２に進み、そうでない場合は、ステップＳ４０１に戻る。
【００７４】
（ステップＳ４０２）サーバ送信部１２２は、ステップＳ４０１で受信した目的地情報を、ナビゲーション装置１３に送信する。そして、ステップＳ４０１に戻る。
【００７５】
なお、図４のフローチャートにおいて、電源オフや処理終了の割り込みにより処理を終了してもよい。
【００７６】
次に、ナビゲーション装置１３の全体動作について、図５のフローチャートを用いて説明する。
【００７７】
（ステップＳ５０１）ナビゲーション装置１３は、図示しないナビ受付部が電源ＯＮの指示を受け付けたか否かを判断する。受け付けた場合は、ステップＳ５０２に進み、そうでない場合は、ステップＳ５０１に戻る。
【００７８】
（ステップＳ５０２）ナビゲーション装置１３は、電源ＯＮの処理を行う。
【００７９】
（ステップＳ５０３）ナビ位置情報取得部１３２は、ナビ位置情報の取得を開始する。以降、ナビ位置情報取得部１３２は、通常、ナビゲーション装置１３の電源がＯＦＦになるまで、ナビ位置情報を定期的に取得し続ける。
【００８０】
（ステップＳ５０４）ナビ送信部１３３は、目的地送信指示の送信のタイミングであるか否かを判断する。当該タイミングは、通常、予め決められている。そして、送信のタイミングである場合は、ステップＳ５０５に進み、そうでない場合は、ステップＳ５０６に進む。
【００８１】
（ステップＳ５０５）ナビ送信部１３３は、目的地送信指示を送信する。
【００８２】
（ステップＳ５０６）ナビ経路探索部１３５は、ナビ受信部１３４がサーバ装置１２から目的地情報を受信したか否かを判断する。受信した場合は、ステップＳ５０７に進み、そうでない場合は、ステップＳ５０９に進む。
【００８３】
（ステップＳ５０７）ナビ経路探索部１３５は、地図情報と、ナビ位置情報取得部１３２が取得したナビ位置情報と、ステップＳ５０６で受信した目的地情報とを用いて、ナビ位置情報が示す現在位置から、目的地情報が示す目的地までの経路を探索する。そして、ナビ経路探索部１３５は、当該経路を示す経路情報を取得する。
【００８４】
（ステップＳ５０８）ナビ出力部１３６は、ステップＳ５０７で取得した経路情報を出力する。
【００８５】
（ステップＳ５０９）ナビゲーション装置１３は、図示しないナビ受付部が電源ＯＦＦの指示を受け付けたか否かを判断する。受け付けた場合は、ステップＳ５１０に進み、そうでない場合は、ステップＳ５０４に戻る。
【００８６】
（ステップＳ５１０）ナビゲーション装置１３は、電源ＯＦＦの処理を行う。そして、ステップＳ５０１に戻る。
【００８７】
なお、図５のフローチャートにおいて、電源オフや処理終了の割り込みにより処理を終了してもよい。
【００８８】
（具体例）
次に、情報システム１の動作の具体例について説明する。なお、本具体例において、端末装置１１は、いわゆるスマートフォン（以下、スマホ）であるものとする。また、サーバ装置１２は、スマホから目的地情報を受信し、当該目的地情報をナビゲーション装置１３に送信するサーバ（以下、サーバ）であるものとする。また、ナビゲーション装置１３は、カーナビゲーションシステム（以下、カーナビ）であるものとする。つまり、ナビゲーション装置１３は、自動車に搭載されているものとする。また、目的地送信指示は、非可聴音であるものとする。また、当該目的地送信指示である非可聴音は、例えば、自動車のエンジンがＯＮであり、かつ、自動車が停止している間、送信されているものとする。
【００８９】
（例１）
本例において、ナビゲーション装置１３が搭載されている移動体にユーザが乗車直後に、ユーザが所持している端末装置１１に格納されている目的地情報が、サーバ装置１２を経由してナビゲーション装置１３に送信される例について説明する。
【００９０】
まず、ユーザが自宅において、自身が所持しているスマホを操作し、ドライブの目的地となる地点を検索しているとする。そして、ユーザが、例えば、名称が「αパーク」である地点を目的地とするための操作を行ったとする。すると、端末受付部１１２は、当該目的地を示す目的地情報を受け付ける。当該目的地情報は、当該目的地の名称を示す情報である地点名称情報「αパーク」と、当該目的地の位置を示す情報である地点位置情報「（Ｎ３５．２３１４，Ｅ１３５．１３５４）」とを有するものとする。
【００９１】
次に、端末蓄積部１１３は、端末受付部１１２が受け付けた目的地情報を、端末格納部１１１に蓄積する。
【００９２】
次に、ユーザが自動車に乗り込み、自動車のエンジンをＯＮにしたとする。すると、カーナビの電源がＯＮになる。また、ナビ位置情報取得部１３２は、ナビ位置情報の取得を開始する。また、ナビ送信部１３３は、目的地送信指示である非可聴音の送信を開始する。
【００９３】
次に、端末受信部１１４は、目的地送信指示である非可聴音を受信する。すると、端末送信部１１５は、当該非可聴音の受信に応じて、端末格納部１１１に格納されている目的地情報を取得し、サーバに送信する。そして、端末送信部１１５は、端末格納部１１１に格納されている目的地情報を削除する。
【００９４】
次に、サーバ受信部１２１は、目的地情報を受信する。すると、サーバ送信部１２２は、当該目的地情報の受信に応じて、当該受信した目的地情報を、カーナビに送信する。
【００９５】
次に、ナビ受信部１３４は、目的地情報を受信する。そして、ナビ経路探索部１３５は、ナビ地図情報格納部１３１に格納されている地図情報と、ナビ位置情報取得部１３２が取得したナビ位置情報と、ナビ受信部１３４が受信した目的地情報とを用いて、当該ナビ位置情報が示す現在位置から、当該目的地情報が示す目的地である「αパーク」までの経路を探索する。そして、当該経路を示す経路情報を取得する。
【００９６】
次に、ナビ出力部１３６は、経路情報を出力する。このときの出力の様子は、例えば、図６である。
【００９７】
（例２）
本例において、新たな目的地情報がサーバ装置１２を経由して端末装置１１からナビゲーション装置１３に送信される例について説明する。
【００９８】
例１に続き、ユーザが自動車を運転しているとする。
【００９９】
次に、ユーザが所持しているスマホが友人からのメールを受信したとする。そして、ユーザは、自動車を停止させ、当該メールの内容を確認したとする。当該メールの内容は、例えば、αパークが混雑していることであるとする。そして、ユーザは、自身が所持しているスマホを操作し、例えば、名称が「βパーク」である地点を目的地とするための操作を行ったとする。すると、端末受付部１１２は、当該目的地を示す目的地情報を受け付ける。当該目的地情報は、当該目的地の名称を示す情報である地点名称情報「βパーク」と、当該目的地の位置を示す情報である地点位置情報「（Ｎ３５．２３２５，Ｅ１３５．１３３９）」とを有するものとする。
【０１００】
次に、端末蓄積部１１３は、端末受付部１１２が受け付けた目的地情報を、端末格納部１１１に蓄積する。
【０１０１】
次に、端末受信部１１４は、目的地送信指示である非可聴音を受信する。すると、端末送信部１１５は、当該非可聴音の受信に応じて、端末格納部１１１に格納されている目的地情報を取得し、サーバに送信する。そして、端末送信部１１５は、端末格納部１１１に格納されている目的地情報を削除する。
【０１０２】
次に、サーバ受信部１２１は、目的地情報を受信する。すると、サーバ送信部１２２は、当該目的地情報の受信に応じて、当該受信した目的地情報を、カーナビに送信する。
【０１０３】
次に、ナビ受信部１３４は、目的地情報を受信する。そして、ナビ経路探索部１３５は、ナビ地図情報格納部１３１に格納されている地図情報と、ナビ位置情報取得部１３２が取得したナビ位置情報と、ナビ受信部１３４が受信した目的地情報とを用いて、当該ナビ位置情報が示す現在位置から、当該目的地情報が示す目的地である「βパーク」までの経路を探索する。そして、当該経路を示す経路情報を取得する。
【０１０４】
次に、ナビ出力部１３６は、経路情報を出力する。このときの出力の様子は、例えば、図７である。
【０１０５】
以上、本実施の形態による情報システム１によれば、端末装置１１において設定された目的地を、サーバ装置１２を経由して端末装置１１からナビゲーション装置１３に自動的に転送することができる。つまり、ユーザは、目的地の設定を簡単に行うことができる。
【０１０６】
また、端末装置１１において設定された目的地をナビゲーション装置１３に転送する場合、Ｂｌｕｅｔｏｏｔｈ（登録商標）や赤外線通信などの近距離無線通信を介して行うことが一般的である。この場合、ユーザは、例えば、端末装置１１およびナビゲーション装置１３を操作する必要があり、端末装置１１において設定した目的地を、ナビゲーション装置１３に簡単に転送することができなかった。しかしながら、本実施の形態による情報システム１によれば、例えば、端末装置１１において設定した目的地を、端末装置１１およびナビゲーション装置１３を操作することなく、簡単にナビゲーション装置１３に転送することができる。また、本実施の形態による情報システム１によれば、例えば、端末装置１１とナビゲーション装置１３とが、共通する近距離無線用の通信手段を備えていなくても、端末装置１１において設定した目的地をナビゲーション装置１３に転送することができる。
【０１０７】
なお、本実施の形態において、ナビゲーション装置１３は、ナビ送信部１３３を備えていなくてもよい。この場合、ナビゲーション装置１３を搭載している移動体に備えられている装置が、目的地送信指示を送信する。
【０１０８】
（実施の形態２）
本実施の形態において、端末装置１１と、サーバ装置２２と、ナビゲーション装置２３とを備える情報システム２について説明する。端末装置１１は、目的地送信指示の受信に応じて、目的地情報をサーバ装置２２に送信する。また、サーバ装置２２は、目的地要求指示の受信に応じて、受信した目的地情報をナビゲーション装置２３に送信する。また、ナビゲーション装置２３は、目的地要求指示の送信に応じて、目的地情報を受信し、当該目的地情報が示す目的地までの経路を探索する。
【０１０９】
本実施の形態における情報システム２の概念図は、図１と同様であるので、説明を省略する。つまり、情報システム２の概念図は、図１において、サーバ装置１２をサーバ装置２２と、ナビゲーション装置１３をナビゲーション装置２３と読み替えたものである。
【０１１０】
また、本実施の形態における端末装置１１、サーバ装置２２、ナビゲーション装置２３のブロック図は、図２と同様であるので、説明を省略する。つまり、本実施の形態における端末装置１１、サーバ装置２２、ナビゲーション装置２３のブロック図は、図２において、サーバ装置１２をサーバ装置２２と、サーバ受信部１２１をサーバ受信部２２１と、サーバ送信部１２２をサーバ送信部２２２と、ナビゲーション装置１３をナビゲーション装置２３と、ナビ送信部１３３をナビ送信部２３３と読み替えたものである。
【０１１１】
サーバ装置２２を構成するサーバ受信部２２１は、端末装置１１から目的地情報を受信する。当該受信した目的地情報は、例えば、予め決められた記憶領域に蓄積されてもよい。また、サーバ受信部２２１は、ナビゲーション装置２３から目的地要求指示をも受信する。「目的地要求指示」とは、目的地情報を要求する指示である。言い換えると、「目的地要求指示」は、目的地情報を送信することを要求するための情報である。また、サーバ受信部２２１は、通常、無線または有線の通信手段で実現されるが、放送を受信する手段で実現されてもよい。
【０１１２】
サーバ送信部２２２は、サーバ受信部２２１が受信した目的地情報を、ナビゲーション装置２３に送信する。また、サーバ送信部２２２は、通常、サーバ受信部２２１による目的地要求指示の受信に応じて、サーバ受信部２２１が受信した目的地情報を送信する。つまり、サーバ送信部２２２は、サーバ受信部２２１が、目的地情報を受信後に目的地要求指示を受信した場合に、当該受信した目的地情報を、ナビゲーション装置２３に送信する。
【０１１３】
ナビゲーション装置２３を構成するナビ送信部２３３は、目的地送信指示を送信する。当該目的地送信指示を送信する方法や、手順、タイミングなどは、実施の形態１におけるナビ送信部１３３により目的地送信指示を送信する方法や、手順、タイミングなどと同様であるので、説明を省略する。
【０１１４】
また、ナビ送信部２３３は、目的地要求指示を、サーバ装置２２に送信する。当該目的地要求指示は、通常、予め決められた記憶領域に格納されている。また、当該送信のタイミングは、通常、ナビゲーション装置２３の電源がＯＮである間の定期的である。
【０１１５】
なお、サーバ送信部２２２、ナビ送信部２３３は、通常、無線または有線の通信手段で実現されるが、放送手段で実現されてもよい。
【０１１６】
また、サーバ装置２２による目的地情報の送信先を特定する方法や手順などは、実施の形態１において説明したので、説明を省略する。
【０１１７】
次に、情報システム２の全体動作について、フローチャートを用いて説明する。なお、端末装置１１の全体動作については、実施の形態１において説明済みであるので、説明を省略する。まず、サーバ装置２２の全体動作について、図８のフローチャートを用いて説明する。
【０１１８】
（ステップＳ８０１）図示しないサーバ蓄積部は、サーバ受信部２２１が端末装置１１から目的地情報を受信したか否かを判断する。受信した場合は、ステップＳ８０２に進み、そうでない場合は、ステップＳ８０１に戻る。
【０１１９】
（ステップＳ８０２）図示しないサーバ蓄積部は、ステップＳ８０１で受信した目的地情報を、予め決められた記憶領域に蓄積する。このとき、サーバ蓄積部は、通常、既に格納されている目的地情報に上書きして蓄積する。
【０１２０】
（ステップＳ８０３）サーバ送信部２２２は、サーバ受信部２２１がナビゲーション装置２３から目的地要求指示を受信したか否かを判断する。受信した場合は、ステップＳ８０４に進み、そうでない場合は、ステップＳ８０１に戻る。
【０１２１】
（ステップＳ８０４）サーバ送信部２２２は、ステップＳ８０２で蓄積した目的地情報を、ナビゲーション装置２３に送信する。そして、ステップＳ８０１に戻る。
【０１２２】
なお、図８のフローチャートにおいて、電源オフや処理終了の割り込みにより処理を終了してもよい。
【０１２３】
次に、ナビゲーション装置２３の全体動作について、図９のフローチャートを用いて説明する。
【０１２４】
（ステップＳ９０１）ナビゲーション装置２３は、図示しないナビ受付部が電源ＯＮの指示を受け付けたか否かを判断する。受け付けた場合は、ステップＳ９０２に進み、そうでない場合は、ステップＳ９０１に戻る。
【０１２５】
（ステップＳ９０２）ナビゲーション装置２３は、電源ＯＮの処理を行う。
【０１２６】
（ステップＳ９０３）ナビ位置情報取得部１３２は、ナビ位置情報の取得を開始する。以降、ナビ位置情報取得部１３２は、通常、ナビゲーション装置２３の電源がＯＦＦになるまで、ナビ位置情報を定期的に取得し続ける。
【０１２７】
（ステップＳ９０４）ナビ送信部２３３は、目的地送信指示の送信のタイミングであるか否かを判断する。当該タイミングは、通常、予め決められている。そして、送信のタイミングである場合は、ステップＳ９０５に進み、そうでない場合は、ステップＳ９０６に進む。
【０１２８】
（ステップＳ９０５）ナビ送信部２３３は、目的地送信指示を送信する。
【０１２９】
（ステップＳ９０６）ナビ送信部２３３は、目的地要求指示の送信のタイミングであるか否かを判断する。当該タイミングは、通常、予め決められている。そして、送信のタイミングである場合は、ステップＳ９０７に進み、そうでない場合は、ステップＳ９１１に進む。
【０１３０】
（ステップＳ９０７）ナビ送信部２３３は、目的地要求指示をサーバ装置２２に送信する。
【０１３１】
（ステップＳ９０８）ナビ経路探索部１３５は、ナビ受信部１３４がサーバ装置２２から目的地情報を受信したか否かを判断する。受信した場合は、ステップＳ９０９に進み、そうでない場合は、ステップＳ９１１に進む。
【０１３２】
（ステップＳ９０９）ナビ経路探索部１３５は、地図情報と、ナビ位置情報取得部１３２が取得したナビ位置情報と、ステップＳ９０８で受信した目的地情報とを用いて、ナビ位置情報が示す現在位置から、目的地情報が示す目的地までの経路を探索する。そして、ナビ経路探索部１３５は、当該経路を示す経路情報を取得する。
【０１３３】
（ステップＳ９１０）ナビ出力部１３６は、ステップＳ９０９で取得した経路情報を出力する。
【０１３４】
（ステップＳ９１１）ナビゲーション装置２３は、図示しないナビ受付部が電源ＯＦＦの指示を受け付けたか否かを判断する。受け付けた場合は、ステップＳ９１２に進み、そうでない場合は、ステップＳ９０４に戻る。
【０１３５】
（ステップＳ９１２）ナビゲーション装置２３は、電源ＯＦＦの処理を行う。そして、ステップＳ９０１に戻る。
【０１３６】
なお、図９のフローチャートにおいて、電源オフや処理終了の割り込みにより処理を終了してもよい。
【０１３７】
（具体例）
次に、情報システム２の動作の具体例について説明する。なお、本具体例において、サーバ装置２２およびナビゲーション装置２３は、実施の形態１の具体例におけるサーバ装置１２およびナビゲーション装置１３と同様であるものとする。また、目的地送信指示は、非可聴音であるものとする。また、当該目的地送信指示である非可聴音および目的地要求指示は、例えば、自動車のエンジンがＯＮであり、かつ、自動車が停止している間、送信されているものとする。
【０１３８】
（例１）
本例において、ナビゲーション装置１３が搭載されている移動体にユーザが乗車直後に、ユーザが所持している端末装置１１に格納されている目的地情報が、サーバ装置１２を経由してナビゲーション装置１３に送信される例について説明する。
【０１３９】
まず、ユーザが自宅において、自身が所持しているスマホを操作し、ドライブの目的地となる地点を検索しているとする。そして、ユーザが、例えば、名称が「αパーク」である地点を目的地とするための操作を行ったとする。すると、端末受付部１１２は、当該目的地を示す目的地情報を受け付ける。当該目的地情報は、当該目的地の名称を示す情報である地点名称情報「αパーク」と、当該目的地の位置を示す情報である地点位置情報「（Ｎ３５．２３１４，Ｅ１３５．１３５４）」とを有するものとする。
【０１４０】
次に、端末蓄積部１１３は、端末受付部１１２が受け付けた目的地情報を、端末格納部１１１に蓄積する。
【０１４１】
次に、ユーザが自動車に乗り込み、自動車のエンジンをＯＮにしたとする。すると、カーナビの電源がＯＮになる。また、ナビ位置情報取得部１３２は、ナビ位置情報の取得を開始する。また、ナビ送信部２３３は、目的地送信指示である非可聴音の送信を開始する。また、ナビ送信部２３３は、目的地要求指示の送信を開始する。
【０１４２】
次に、端末受信部１１４は、目的地送信指示である非可聴音を受信する。すると、端末送信部１１５は、当該非可聴音の受信に応じて、端末格納部１１１に格納されている目的地情報を取得し、サーバに送信する。そして、端末送信部１１５は、端末格納部１１１に格納されている目的地情報を削除する。
【０１４３】
次に、サーバ受信部２２１は、目的地情報を受信する。そして、サーバ受信部２２１は、当該目的地情報を、予め決められた記憶領域に蓄積する。
【０１４４】
次に、サーバ受信部２２１は、目的地要求指示を受信する。すると、サーバ送信部２２２は、当該目的地要求指示の受信に応じて、予め決められた記憶領域に格納されている目的地情報を取得し、カーナビに送信する。そして、サーバ送信部２２２は、予め決められた記憶領域に格納されている目的地情報を削除する。
【０１４５】
次に、ナビ受信部１３４は、目的地情報を受信する。そして、ナビ経路探索部１３５は、ナビ地図情報格納部１３１に格納されている地図情報と、ナビ位置情報取得部１３２が取得したナビ位置情報と、ナビ受信部１３４が受信した目的地情報とを用いて、当該ナビ位置情報が示す現在位置から、当該目的地情報が示す目的地である「αパーク」までの経路を探索する。そして、当該経路を示す経路情報を取得する。
【０１４６】
次に、ナビ出力部１３６は、経路情報を出力する。このときの出力の様子は、例えば、図６である。
【０１４７】
（例２）
本例において、新たな目的地情報がサーバ装置１２を経由して端末装置１１からナビゲーション装置１３に送信される例について説明する。
【０１４８】
例１に続き、ユーザが自動車を運転しているとする。
【０１４９】
次に、ユーザが所持しているスマホが友人からのメールを受信したとする。そして、ユーザは、自動車を停止させ、当該メールの内容を確認したとする。当該メールの内容は、例えば、αパークが混雑していることであるとする。そして、ユーザは、自身が所持しているスマホを操作し、例えば、名称が「βパーク」である地点を目的地とするための操作を行ったとする。すると、端末受付部１１２は、当該目的地を示す目的地情報を受け付ける。当該目的地情報は、当該目的地の名称を示す情報である地点名称情報「βパーク」と、当該目的地の位置を示す情報である地点位置情報「（Ｎ３５．２３２５，Ｅ１３５．１３３９）」とを有するものとする。
【０１５０】
次に、端末蓄積部１１３は、端末受付部１１２が受け付けた目的地情報を、端末格納部１１１に蓄積する。
【０１５１】
次に、端末受信部１１４は、目的地送信指示である非可聴音を受信する。すると、端末送信部１１５は、当該非可聴音の受信に応じて、端末格納部１１１に格納されている目的地情報を取得し、サーバに送信する。そして、端末送信部１１５は、端末格納部１１１に格納されている目的地情報を削除する。
【０１５２】
次に、サーバ受信部２２１は、目的地情報を受信する。そして、サーバ受信部２２１は、当該目的地情報を、予め決められた記憶領域に蓄積する。
【０１５３】
次に、サーバ受信部２２１は、目的地要求指示を受信する。すると、サーバ送信部２２２は、当該目的地要求指示の受信に応じて、予め決められた記憶領域に格納されている目的地情報を取得し、カーナビに送信する。そして、サーバ送信部２２２は、予め決められた記憶領域に格納されている目的地情報を削除する。
【０１５４】
次に、ナビ受信部１３４は、目的地情報を受信する。そして、ナビ経路探索部１３５は、ナビ地図情報格納部１３１に格納されている地図情報と、ナビ位置情報取得部１３２が取得したナビ位置情報と、ナビ受信部１３４が受信した目的地情報とを用いて、当該ナビ位置情報が示す現在位置から、当該目的地情報が示す目的地である「βパーク」までの経路を探索する。そして、当該経路を示す経路情報を取得する。
【０１５５】
次に、ナビ出力部１３６は、経路情報を出力する。このときの出力の様子は、例えば、図７である。
【０１５６】
以上、本実施の形態による情報システム２によれば、端末装置１１において設定された目的地を、サーバ装置２２を経由して端末装置１１からナビゲーション装置２３に自動的に転送することができる。つまり、ユーザは、目的地の設定を簡単に行うことができる。また、その他の情報システム２の効果は、実施の形態１における情報システム１の効果と同様であるので、説明を省略する。
【０１５７】
なお、本実施の形態において、ナビ送信部２３３は、目的地送信指示を送信しなくてもよい。この場合、ナビゲーション装置１３を搭載している移動体に備えられている装置が、目的地送信指示を送信する。
【０１５８】
また、上記各実施の形態において、一の装置に存在する２以上の通信手段は、物理的に一の媒体で実現されてもよいことは言うまでもない。
【０１５９】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１６０】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１６１】
また、上記各実施の形態における端末装置を実現するソフトウェアは、例えば、以下のようなプログラムである。つまり、このプログラムは、目的地を示す情報である目的地情報が格納される端末格納部にアクセス可能なコンピュータを、目的地情報を受け付ける端末受付部と、前記端末受付部が受け付けた目的地情報を、前記端末格納部に蓄積する端末蓄積部と、目的地情報を送信する指示である目的地送信指示を受信する端末受信部と、前記端末受信部による目的地送信指示の受信に応じて、前記端末格納部に格納されている目的地情報を送信する端末送信部として機能させるためのプログラムである。
【０１６２】
また、上記各実施の形態におけるサーバ装置を実現するソフトウェアは、例えば、以下のようなプログラムである。つまり、このプログラムは、コンピュータを、目的地情報を受信するサーバ受信部と、前記サーバ受信部が受信した目的地情報を送信するサーバ送信部として機能させるためのプログラムである。
【０１６３】
また、上記各実施の形態におけるナビゲーション装置を実現するソフトウェアは、例えば、以下のようなプログラムである。つまり、このプログラムは、地図を示す情報である地図情報が格納されるナビ地図情報格納部にアクセス可能なコンピュータを、現在位置を示す情報であるナビ位置情報を取得するナビ位置情報取得部と、目的地送信指示を送信するナビ送信部と、目的地情報を受信するナビ受信部と、前記ナビ受信部による目的地情報の受信に応じて、前記地図情報と、前記ナビ位置情報取得部が取得したナビ位置情報と、当該目的地情報とを用いて、当該ナビ位置情報が示す現在位置から、当該目的地情報が示す目的地までの経路を探索し、当該経路を示す情報である経路情報を取得するナビ経路探索部と、前記ナビ経路探索部が取得した経路情報を出力するナビ出力部として機能させるためのプログラムである。
【０１６４】
なお、上記プログラムにおいて、上記プログラムが実現する機能には、ハードウェアでしか実現できない機能は含まれない。
【０１６５】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１６６】
また、上記プログラムを実行するコンピュータは、単数であってもよいし、複数であってもよい。つまり、集中処理を行ってもよいし、あるいは分散処理を行ってもよい。
【０１６７】
また、図１０は、前述のプログラムを実行して、前述の実施の形態の情報システム等を実現するコンピュータシステム９の概観図である。前述の実施の形態は、コンピュータハードウェア、およびその上で実行されるコンピュータプログラムで実現され得る。
【０１６８】
図１０において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０１６９】
図１１は、コンピュータシステム９のブロック図である。図１１において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０１７０】
コンピュータシステム９に、前述の実施の形態の情報システム等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１７１】
プログラムは、コンピュータ９０１に、前述の実施の形態の情報システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１７２】
本発明は、以上の実施の形態に限定されることなく、種々の変更が可能であり、それらも本発明の範囲内に包含されるものであることは言うまでもない。
【産業上の利用可能性】
【０１７３】
以上のように、本発明にかかる情報システムは、目的地の設定を簡単に行うことができるという効果を有し、カーナビゲーションシステム等として有用である。
【符号の説明】
【０１７４】
１、２  情報システム
１１  端末装置
１２、２２  サーバ装置
１３、２３  ナビゲーション装置
１１１  端末格納部
１１２  端末受付部
１１３  端末蓄積部
１１４  端末受信部
１１５  端末送信部
１２１、２２１  サーバ受信部
１２２、２２２  サーバ送信部
１３１  ナビ地図情報格納部
１３２  ナビ位置情報取得部
１３３、２３３  ナビ送信部
１３４  ナビ受信部
１３５  ナビ経路探索部
１３６  ナビ出力部
【図１】
2015049172.tif 000003
【図２】
2015049172.tif 000004
【図３】
2015049172.tif 000005
【図４】
2015049172.tif 000006
【図５】
2015049172.tif 000007
【図６】
2015049172.tif 000008
【図７】
2015049172.tif 000009
【図８】
2015049172.tif 000010
【図９】
2015049172.tif 000011
【図１０】
2015049172.tif 000012
【図１１】
2015049172.tif 000013